(57)【要約】【課題】  油圧シリンダにより昇降傾斜可能に構成した仰臥台では、看護師等が直接的に床部を持ち上げることが可能としているため床部の端に腰掛ける等による外力によって床部が跳ね上がってしまう不都合が生じる場合がある。【解決手段】  本発明では、跳ね上がってしまいやすい床部側において、油圧シリンダ側支持部材６ｈと、それを支持する床部側支持部材９ｈに、床部３が水平状態で、油圧シリンダに対して相対的に上方に移動した際に係合状態となって、相対的な回動が阻止される夫々第１の係合部材と第２の係合部材を設けた床部の跳ね上がり防止機構を提案する。第１の係合部材と第２の係合部材は、軸部材１２と、これを挟持する凹部１３等により構成することができる。【選択図】    図１１
2015159944.tif 000002
【特許請求の範囲】
【請求項１】
基台の頭側と足側に突設した油圧シリンダによって床部の頭側と足側を支持する仰臥台において、一方側の油圧シリンダにより床部を支持する第１の油圧シリンダ側支持部材は、床部に設けた第１の床部側支持部材に対して、床部が傾斜する方向に回動可能で、且つ、油圧シリンダの伸縮する方向に移動可能に支持すると共に、他方側の油圧シリンダにより床部を支持する第２の油圧シリンダ側支持部材は、床部に設けた第２の床部側支持部材に対して、床部が傾斜する方向に回動可能で、且つ、床部の長手方向に移動可能に支持し、前記第１の油圧シリンダ側支持部材と、第１の床部側支持部材には、床部が水平状態で、油圧シリンダに対して相対的に上方に移動した際に係合状態となって、相対的な回動が阻止される夫々第１の係合部材と第２の係合部材を設けたことを特徴とする油圧シリンダ式仰臥台における床部の跳ね上がり防止機構。
【請求項２】
第１の係合部材は、第２の係合部材としての軸部材を下方から係合する凹部として構成したことを特徴とする請求項１に記載の油圧シリンダ式仰臥台における床部の跳ね上がり防止機構。
【請求項３】
第１の係合部材は軸部材であり、第２の係合部材は軸部材を上方から係合する凹部として構成したことを特徴とする請求項１に記載の油圧シリンダ式仰臥台における床部の跳ね上がり防止機構。
【請求項４】
第１の油圧シリンダ側支持部材は、床部の端部からの距離が短い床部の側に対応させることを特徴とする請求項１に記載の油圧シリンダ式仰臥台における床部の跳ね上がり防止機構。
【請求項５】
第１の油圧シリンダ側支持部材は、床部の頭側に対応させ、第２の油圧シリンダ側支持部材を床部の足側に対応させることを特徴とする請求項４に記載の油圧シリンダ式仰臥台における床部の跳ね上がり防止機構。
【発明の詳細な説明】
【技術分野】
【０００１】
本発明は、油圧シリンダにより昇降傾斜可能に構成したストレッチャーやベッド等の仰臥台における床部の跳ね上がり防止機構に関する。
【背景技術】
【０００２】
ストレッチャーやベッド等の仰臥台において、床部の高さを調節するための昇降機構と、使用者の頭側を低く傾斜させる展伸姿勢（トレンデレンバーグ）や、頭側を高く傾斜させる逆展伸姿勢（リバーストレンデレンバーグ）とするための床部の傾斜機構を備えたものとしては、例えば特許文献１に記載されているように、リンク機構を利用して床部の昇降と傾斜を行えるようにした構成ものが多く使用されているが、この他に、例えば特許文献２や特許文献３に示されるように、基台の頭側と足側に夫々突設した油圧シリンダによって床部の頭側と足側を支持して、油圧シリンダの伸縮により簡素な構成で床部の昇降と傾斜を行えるようにした構成のものがある。
【０００３】
本発明は、後者のように、基台の頭側と足側に夫々突設した油圧シリンダによって床部の頭側と足側を支持して、これらの油圧シリンダの伸縮により、床部の昇降と傾斜を行えるようにした油圧シリンダ式仰臥台を対象とするものである。
【０００４】
図１６、図１７は、このような構成の仰臥台の構成を概念的に示すもので、この仰臥台は、基台１００の頭側ｈと足側ｆに対応する個所に夫々突設した油圧シリンダ１０１ｈ、１０１ｆによって床部１０２の頭側ｈと足側ｆを支持した構成である。具体的には、頭側ｈの油圧シリンダ１０１ｈにより床部１０２の頭側ｈを支持するための支持部材１０３ｈは、床部１０２が傾斜方向に回動可能となるように支持しており、また足側ｆの油圧シリンダ１０１ｆにより床部１０２の足側ｆを支持するための支持部材１０３ｆは、床部１０２が傾斜方向に回動可能となると共に、床部１０２が長手方向に移動可能となるように支持部材１０４に支持されている。
【０００５】
このような油圧シリンダ式仰臥台では、図示を省略しているが、両方の油圧シリンダを伸長操作するための伸長用操作ペダルと、夫々の油圧シリンダを個々に短縮操作するための足側及び頭側の油圧シリンダの短縮操作ペダルとにより、床部の昇降と傾斜を行う構成としている。
【０００６】
即ち、例えば伸長操作ペダルを操作することにより、足側と頭側の両方の油圧シリンダを伸長させて、床部の頭側と足側を同時に上昇させることができ、また両方の短縮操作ペダルを同時に操作することにより、両方の油圧シリンダを短縮させて、床部の頭側と足側を同時に下降させることができる。また、更に頭側又は足側のいずれかの短縮操作ペダルのみを操作することにより、対応する油圧シリンダのみを短縮させて床部の頭側又は足側のみを下降させて傾斜させることができる。
【０００７】
夫々の油圧シリンダは、伸長操作ペダルや短縮操作ペダルを操作しない状態では、それまでの長さが維持され、従って、荷重に抗して床部の姿勢を維持することができる。
【０００８】
一方、このような仰臥台では、床部を早急に展伸姿勢や逆展伸姿勢にする必要が生ずる場合がある。このような場合において、例えば図１８に示すように、操作ペダルを使用せずに、看護師等が直接的に床部１０２を手で持ち上げることにより、床部１０２を早急に展伸姿勢や逆展伸姿勢にすることができるようにしている。尚、図１８では、看護師が床部１０２の足側ｆを持ち上げて展伸姿勢にする動作を示している。
【先行技術文献】
【特許文献】
【０００９】
【特許文献１】特許第３０３５８６１号公報
【特許文献２】特表２００２−５２９１１５号公報
【特許文献３】特表２００３−５２２６０２号公報
【発明の開示】
【発明が解決しようとする課題】
【００１０】
上述したような仰臥台では、看護師等が床部を直接的に持ち上げて姿勢を変更する動作を可能とするために、夫々の油圧シリンダは、伸長方向の動作は外力により自由に行えるように構成されている。
【００１１】
このため、例えば、図１６に示すように、床部１０２が低い位置で水平に支持されている状態において、床部１０２の足側ｆの端部に腰掛ける等して、下方の力を加えると、支持部材１０３ｆを回動支点とするモーメントが働き、床部が跳ね上がって図１７に示すように傾斜してしまうばあいがあり、危険である。
【００１２】
図１６、図１７に示すように、足側ｆの床部１０２の端部と足側の支持部材１０３ｆとの距離が、頭側ｈの床部の１０２の端部と頭側の支持部材１０３ｈとの距離に比較して長い場合には、テコの原理により、床部１０２の足側ｆの端部に下方の力が加わった場合のモーメントがより大きくなるため、上記跳ね上がりが起きやすくなる。
そこで、本発明では、このような課題を解決し、油圧シリンダ式仰臥台における床部の跳ね上がり防止機構を提供することを目的とする。
【課題を解決するための手段】
【００１３】
上述した課題を解決するために、本発明では、基台の頭側と足側に突設した油圧シリンダによって床部の頭側と足側を支持する仰臥台において、一方側の油圧シリンダにより床部を支持する第１の油圧シリンダ側支持部材は、床部に設けた第１の床部側支持部材に対して、床部が傾斜する方向に回動可能で、且つ、油圧シリンダの伸縮する方向に移動可能に支持すると共に、他方側の油圧シリンダにより床部を支持する第２の油圧シリンダ側支持部材は、床部に設けた第２の床部側支持部材に対して、床部が傾斜する方向に回動可能で、且つ、床部の長手方向に移動可能に支持し、前記第１の油圧シリンダ側支持部材と、第１の床部側支持部材には、床部が水平状態で、油圧シリンダに対して相対的に上方に移動した際に係合状態となって、相対的な回動が阻止される夫々第１の係合部材と第２の係合部材を設けた油圧シリンダ式仰臥台における床部の跳ね上がり防止機構を提案する。
【００１４】
また本発明では、前記構成において、第１の係合部材は、第２の係合部材としての軸部材を下方から係合する凹部として構成した油圧シリンダ式仰臥台における床部の跳ね上がり防止機構を提案する。
【００１５】
また本発明では、前記構成において、第１の係合部材は軸部材であり、第２の係合部材は軸部材を上方から係合する凹部として構成した油圧シリンダ式仰臥台における床部の跳ね上がり防止機構を提案する。
【００１６】
また本発明では、前記構成において、第１の油圧シリンダ側支持部材は、床部の端部からの距離が短い床部の側に対応させる油圧シリンダ式仰臥台における床部の跳ね上がり防止機構を提案する。例えば、第１の油圧シリンダ側支持部材は、床部の頭側に対応させ、第２の油圧シリンダ側支持部材を床部の足側に対応させた油圧シリンダ式仰臥台における床部の跳ね上がり防止機構を提案する。
【発明の効果】
【００１７】
本発明では、基台の頭側と足側に突設した油圧シリンダによって床部の頭側と足側を支持する仰臥台において、一方側の油圧シリンダにより床部を支持する第１の油圧シリンダ側支持部材は、床部に設けた第１の床部側支持部材に対して、床部が傾斜する方向に回動可能で、且つ、油圧シリンダの伸縮する方向に移動可能に支持すると共に、他方側の油圧シリンダにより床部を支持する第２の油圧シリンダ側支持部材は、床部に設けた第２の床部側支持部材に対して、床部が傾斜する方向に回動可能で、且つ、床部の長手方向に移動可能に支持しているため、頭側と足側の油圧シリンダの伸長操作と短縮操作を行うことにより、水平状態における床部の昇降と、頭側又は足側を下側とした床部の傾斜を行うことができる。
【００１８】
一方、頭側と足側の油圧シリンダは、短縮方向の動作にはペダル等による操作が必要であるが、伸長方向の動作は自由に行えるように構成しているため、看護師等が床部を直接的に持ち上げて姿勢を変更する動作をおこなうことができる。
【００１９】
床部が低い位置で水平に支持されている状態において、端部から油圧シリンダへの距離が長い側の床部の端部に腰掛ける等して、下方への力を加え、テコの原理により大きなモーメントが働いた場合には、床部の他の端部側が上方に移動して、跳ね上がろうとする。
【００２０】
しかしながら、床部が上昇すると、それと共に第１の床部側支持部材、そして第２の係合部材が上昇して、第１の油圧シリンダ側支持部材の第１の係合部材と係合状態となるため、相対的な回動が阻止される。したがって、第１の油圧シリンダ側支持部材側の床部のみが上昇して傾斜する動作は全く阻止され、跳ね上がりを防止することができる。
【図面の簡単な説明】
【００２１】
【図１】図１は本発明に係る仰臥台の実施の形態を床部が低い位置に支持された状態で示す側面図である。
【図２】図２は本発明に係る仰臥台の実施の形態を床部が高い位置に支持された状態で示す側面図である。
【図３】図３は本発明に係る仰臥台の実施の形態を床部の頭側が低く傾斜された展伸姿勢とした状態で示す側面図である。
【図４】図４は本発明に係る仰臥台の実施の形態を床部の足側が低く傾斜された逆展伸姿勢とした状態で示す側面図である。
【図５】図５は本発明に係る仰臥台の要部を床部が低い位置に支持された状態で概念的に示す斜視図である。
【図６】図６は本発明に係る仰臥台の要部を床部の頭側が低く傾斜された展伸姿勢とした状態で概念的に示す斜視図である。
【図７】図７は本発明に係る仰臥台の要部を床部の足側が低く傾斜された逆展伸姿勢とした状態で概念的に示す斜視図である。
【図８】図８は本発明に係る仰臥台の要部の部材の第１の実施の形態の構成及び動作を示す要部側面図である。
【図９】図９は本発明に係る仰臥台の要部の部材の第１の実施の形態の構成及び動作を他の局面で示す要部側面図である。
【図１０】図１０は本発明に係る仰臥台の要部の部材の第１の実施の形態の構成及び動作を更に他の局面で示す要部側面図である。
【図１１】図１１は本発明に係る仰臥台の要部の部材の第１の実施の形態の構成及び動作を更に他の局面で示す要部側面図である。
【図１２】図１２は本発明に係る仰臥台の要部の部材の第２の実施の形態の構成及び動作を示す要部側面図である。
【図１３】図１３は本発明に係る仰臥台の要部の部材の第２の実施の形態の構成及び動作を他の局面で示す要部側面図である。
【図１４】図１４は本発明に係る仰臥台の要部の部材の第２の実施の形態の構成及び動作を更に他の局面で示す要部側面図である。
【図１５】図１５は本発明に係る仰臥台の要部の部材の第２の実施の形態の構成及び動作を更に他の局面で示す要部側面図である。
【図１６】油圧シリンダ式仰臥台の従来例の構成及び動作を概念的に示す斜視図である。
【図１７】油圧シリンダ式仰臥台の従来例の構成及び動作を他の局面で概念的に示す斜視図である。
【図１８】油圧シリンダ式仰臥台の動作例を概念的に示す側面図である。
【発明を実施するための形態】
【００２２】
次に本発明の実施の形態を添付図面を参照して説明する。
まず図１〜図４において、符号１は車輪によって移動可能に構成した基台であり、この基台１の頭側ｈと足側ｆに夫々油圧シリンダ２ｈ，２ｆを突設して、これらにより床部３を昇降と傾斜が可能に支持している。油圧シリンダ２ｈ，２ｆによる床部３の支持機構は後述する。
【００２３】
この油圧シリンダ式仰臥台には、両方の油圧シリンダ２ｈ，２ｆを伸長操作するための伸長用操作ペダル４と、夫々の油圧シリンダ２ｈ，２ｆを個々に短縮操作するための足側及び頭側の油圧シリンダ２ｈ，２ｆの短縮操作ペダル５ｈ，５ｆとにより、床部の昇降と傾斜を行う構成としている。
【００２４】
夫々の油圧シリンダ２ｈ，２ｆは、伸長操作ペダル４や短縮操作ペダル５ｈ，５ｆを操作しない状態では、それまでの長さが維持され、従って、荷重に抗して床部３の姿勢を維持することができる。また油圧シリンダ２ｈ，２ｆは、伸長操作ペダル４を操作しないでも、床部３を持ち上げることにより伸長は可能な構成である。
【００２５】
伸長操作ペダル４は、押し下げ操作により油圧シリンダ２ｈ，２ｆに油圧を印加して伸長させ、戻しばねにより上方に復帰して、次の押し下げ動作を継続的に行える構成である。
【００２６】
このような構成において、伸長操作ペダル４を操作して、足側と頭側の両方の油圧シリンダ２ｈ，２ｆを伸長させて、図１から図２の状態へと、床部３の頭側ｈと足側ｆを同時に上昇させることができ、また両方の短縮操作ペダル５ｈ，５ｆを同時に操作することにより、両方の油圧シリンダ２ｈ，２ｆを短縮させて、再び図１の状態に移行することができる。また、図２に示すように床部３が高い位置に支持されている状態において、頭側又は足側のいずれかの短縮操作ペダル５ｈ，５ｆのみを操作することにより、対応する油圧シリンダ２ｈ，２ｆのみを短縮させて床部３の頭側ｈ又は足側ｆのみを下降させて傾斜させることができる。即ち、図３に示す展伸姿勢や図４に示す逆展伸姿勢に傾斜させることができる。
【００２７】
次に油圧シリンダ２ｈ，２ｆによる床部３の支持機構の第１の実施の形態を、図５〜図１１を参照して説明する。尚、図において、図１〜図４の構成要素と同様な構成要素には同一の符号を付して重複する説明は省略する。
【００２８】
図において、符号６ｈ，６ｆは、夫々の油圧シリンダ２ｈ，２ｆによって床部３を支持するための第１、第２の油圧シリンダ側支持部材であり、これらの第１、第２の油圧シリンダ側支持部材６ｈ，６ｆは、油圧シリンダ２ｈ，２ｆの上部に固定した横棒７ｈ，７ｆと、その両端に設けた端部材８ｈ，８ｆとから構成しており、夫々の端部材８ｈ，８ｆを、床部３の頭側と足側に設けた第１、第２の床部側支持部材９ｈ，９ｆに支持している。
【００２９】
第１の油圧シリンダ側支持部材６ｈの端部材８ｈは横棒の端部において下方に突設した板状に構成であり、この端部材８ｈは第１の床部側支持部材９ｈに形成した長穴１０に係合した軸部材１１により回動可能で、長穴１０に沿って移動可能に構成している。そして第１の床部側支持部材９ｈには、長穴１０の下方に軸部材１２を突設しており、この軸部材１２を係合して挟持可能な凹部１３を端部材８ｈに設けている。このような構成により、第１の油圧シリンダ側支持部材６ｈは、床部３に設けた第１の床部側支持部材９ｈに対して、床部３が傾斜する方向に回動可能で、且つ、油圧シリンダ２ｈの伸縮する方向に移動可能に支持される。
【００３０】
一方、第２の油圧シリンダ側支持部材６ｆの端部材８ｆは、案内部材として形成された第２の床部側支持部材９ｆに係合するスライダー状の構成であり、このような構成により、第２の油圧シリンダ側支持部材６ｆは、床部３に設けた第２の床部側支持部材９ｆに対して、床部３が傾斜する方向に回動可能で、且つ、床部３の長手方向に移動可能に支持される。
【００３１】
以上の構成により、上述したように、第１の油圧シリンダ側支持部材６ｈは、床部３に設けた第１の床部側支持部材９ｈに対して、床部３が傾斜する方向に回動可能で、且つ、油圧シリンダ２ｈの伸縮する方向に移動可能に支持され、また第２の油圧シリンダ側支持部材６ｆは、床部３に設けた第２の床部側支持部材９ｆに対して、床部３が傾斜する方向に回動可能で、且つ、床部３の長手方向に移動可能に支持されるので、頭側ｈと足側ｆの油圧シリンダ２ｈ，２ｆの伸長操作と短縮操作を、図示を省略している操作ペダル機構を使用して行うことにより、図５〜図７に示すように、水平状態における床部の昇降と、頭側又は足側を下側とした床部の傾斜を行うことができる。尚、床部３が第１、第２の油圧シリンダ側支持部材６ｈ，６ｆによって支持されている状態において、第１の油圧シリンダ側支持部材６ｈでは、端部材８ｈに設けている軸部材１１が、第１の床部側支持部材９ｈに設けている長穴１０の上端に当接した状態で軸部材１１を支点として回動が可能に支持されている。
【００３２】
ここで、床部３が図５に示すように低い位置で水平に支持されている状態において、端部から油圧シリンダへの距離が長い側の床部の端部、この場合には、床部３の足側ｆの端部に腰掛ける等して、下方への力を加え、テコの原理により大きなモーメントが働いた場合には、床部３の他の端部側、即ち頭側ｈが上方に移動して、跳ね上がろうとする。
【００３３】
しかしながら、図１１に示すように、床部３が上昇すると、それと共に第１の床部側支持部材９ｈ、そして第２の係合部材としての軸部材１２が上昇して、第１の油圧シリンダ側支持部材６ｈの端部材８ｈに設けた第１の係合部材としての凹部１３と係合状態となり、長穴１０に係合している軸部材１１と、凹部１３に係合している軸部材１２との２点での支持となるため、第１の油圧シリンダ側支持部材６ｈの端部材８ｈと第１の床部側支持部材９ｈは相対的な回転が阻止される。したがって、第１の油圧シリンダ側支持部材６ｈ側の床部３のみが上昇して傾斜する動作は全く阻止され、跳ね上がりを防止することができる。
【００３４】
次に図１２〜図１５は油圧シリンダ２ｈ，２ｆによる床部３の支持機構の第２の実施の形態を示すものである。上述した第１の実施の形態が、第１の係合部材は、第２の係合部材としての軸部材１２を下方から係合する凹部１３として構成しているのに対して、この第２の実施の形態では、第１の係合部材は軸部材１４であり、第２の係合部材は軸部材１４を上方から係合する凹部１５として構成したものである。その他の構成要素は、第１の実施の形態と同様であるので、対応する構成要素には同一の符号を付して重複する説明は省略する。
【００３５】
以上の第１、第２の実施の形態に示すように、本発明では、前記第１のシリンダ側支持部材に設ける第１の係合部材と、第１の床部側支持部材に設ける第２の係合部材は、床部が水平状態で、油圧シリンダに対して相対的に上方に移動した際に係合状態となって、相対的な回動が阻止される構成であれば適宜である。
【産業上の利用可能性】
【００３６】
油圧シリンダにより昇降傾斜可能に構成した仰臥台における床部の跳ね上がりを防止することができ、ストレッチャーやベッド等に利用して安全性を向上することができるという効果がある。
【符号の説明】
【００３７】
１                基台
２ｈ，２ｆ        油圧シリンダ
３                床部
４                伸長操作ペダル
５ｈ，５ｆ        短縮操作ペダル
６ｈ              第１の油圧シリンダ側支持部材
６ｆ              第２の油圧シリンダ側支持部材
７ｈ，７ｆ        横棒
８ｈ，８ｆ        端部材
９ｈ              第１の床部側支持部材
９ｆ              第２の床部側支持部材
１０              長穴
１１、１２、１４  軸部材
１３、１５        凹部
１００            基台
１０１ｈ、１０１ｆ    油圧シリンダ
１０２                床部
１０３ｈ、１０３ｆ    支持部材
１０４                支持部材
【図１】
2015159944.tif 000003
【図２】
2015159944.tif 000004
【図３】
2015159944.tif 000005
【図４】
2015159944.tif 000006
【図５】
2015159944.tif 000007
【図６】
2015159944.tif 000008
【図７】
2015159944.tif 000009
【図８】
2015159944.tif 000010
【図９】
2015159944.tif 000011
【図１０】
2015159944.tif 000012
【図１１】
2015159944.tif 000013
【図１２】
2015159944.tif 000014
【図１３】
2015159944.tif 000015
【図１４】
2015159944.tif 000016
【図１５】
2015159944.tif 000017
【図１６】
2015159944.tif 000018
【図１７】
2015159944.tif 000019
【図１８】
2015159944.tif 000020